(57)【要約】【課題】  使用者の衣服や身体等を傷付けることなく安心して着用出来、かつ意匠性を向上させるペンダントを提供する。【解決手段】  第１ボディ１１０と第２ボディ１２０を備えるペンダントにおいて、前記第１ボディ１１０に挿通部１１１が形成され、前記第２ボディ１２０に挿通部１２１が形成され、前記第１ボディ１１０と前記第２ボディ１２０が結合した状態において、前記挿通部１１１および前記挿通部１２１の少なくとも一方は前記空間１５０の内部に具設する。【選択図】図１
0003215337.tif 000002
【実用新案登録請求の範囲】
【請求項１】
第１ボディ１１０と第２ボディ１２０を備え、
前記第１ボディ１１０と前記第２ボディ１２０により形成された空間１５０に装飾体１４０を収納可能であるペンダントにおいて、
前記第１ボディ１１０に挿通部１１１が形成され、
前記第２ボディ１２０に挿通部１２１が形成され、
挿通部１１１と挿通部１２１は各々線状体１３０が挿通出来る大きさを有しており、
前記第１ボディ１１０と前記第２ボディ１２０が結合した状態において、
前記挿通部１１１および前記挿通部１２１の少なくとも一方は、
前記空間１５０の内部に具設されることを特徴とするペンダント。
【請求項２】
前記挿通部１１１および前記挿通部１２１の少なくとも一方は、
複数個形成されていることを特徴とする請求項１に記載のペンダント。
【請求項３】
前記第１ボディ１１０と前記第２ボディ１２０が係合された際に、
各々の前記挿通部１１１と各々の前記挿通部１１２が、
略直線状に貫通出来る位相になることを特徴とする請求項１または２に記載のペンダント。
【請求項４】
棒状体１６０または環状体１７０が、前記線状体１３０に付設されており、
前記棒状体１６０または前記環状体１７０が、
第１ボディ１１０と第２ボディ１２０の係合状態の安定性を高める機能を有することを特徴とする請求項１乃至３のいずれか一つに記載のペンダント。
【考案の詳細な説明】
【技術分野】
【０００１】  本考案は、ペンダントに関するものである。
【背景技術】
【０００２】  真珠やビーズなどの装飾体を収納することが可能であるペンダントにおいて、チェーン等の線状体とペンダント本体をつなげる為に、線状体を挿通させる挿通部がペンダント本体に設けられていた。
【考案の概要】
【考案が解決しようとする課題】
【０００３】  従来のペンダントは、チェーン等の線状体とペンダント本体とを結び付ける為に、線状体が挿通可能である挿通部が、ペンダント本体の外側に具設されていた。【０００４】  しかし、ペンダント本体の外側に形成された挿通部によって、ペンダントをデザインする上での制約が生じており、意匠性の高いペンダントを創作する上で妨げとなっていた。【０００５】  また、ペンダント本体の外側に形成された挿通部が突出していることで、その突出部によって使用者の衣服や身体が傷付く恐れもあった。【０００６】  さらに、ペンダント本体の内部に収納されている真珠やビーズなどの装飾体を引き立て、装飾体の魅力を高める上でも、ペンダント本体の外側に形成された挿通部によって支障が生じることがあった。
【課題を解決するための手段】
【０００７】  上記の目的を達成する為、本考案は、第１ボディ１１０と第２ボディ１２０を備え、前記第１ボディ１１０と前記第２ボディ１２０により形成された空間１５０に装飾体１４０を収納可能であるペンダントにおいて、前記第１ボディ１１０に挿通部１１１が形成され、前記第２ボディ１２０に挿通部１２１が形成され、挿通部１１１と挿通部１２１は各々線状体１３０が挿通出来る大きさを有しており、前記第１ボディ１１０と前記第２ボディ１２０が結合した状態において、前記挿通部１１１および前記挿通部１２１の少なくとも一方は前記空間１５０の内部に具設されることを特徴とするペンダントを提供する。【０００８】  前記挿通部１１１および前記挿通部１２１の少なくとも一方は、複数個形成されていることが好ましい。【０００９】  前記第１ボディ１１０と前記第２ボディ１２０が係合された際に、各々の前記挿通部１１１と各々の前記挿通部１１２が、略直線状に貫通出来る位相になることが好ましい。【００１０】  棒状体１６０または環状体１７０が、前記線状体１３０に付設されており、前記棒状体１６０または前記環状体１７０が、第１ボディ１１０と第２ボディ１２０の係合状態の安定性を高める機能を有することが好ましい。
【考案の効果】
【００１１】  ペンダント本体の内側に挿通部を設けることで、ペンダント全体に対する意匠性を向上させ、美観を高めることが出来る。【００１２】  また、ペンダント本体の内側に挿通部を設けることで、使用者の衣服や身体等を傷付けることなく安心してペンダントを着用することが出来る。【００１３】  さらに、ペンダントの内部に収納されている真珠やビーズ等の装飾体を保護し、装飾体の魅力を高めることが可能である。
【考案を実施するための形態】
【００１４】  図１はペンダント１００の正面図（オープン時）であり、図２はペンダント１００の正面図（クローズ時）である。
【００１５】  ペンダント１００は第１ボディ１１０と第２ボディ１２０を備えている。図示した例では、中空の略ドロップ形状であるが、この形状に制限されず、中空の略球形状や略四角柱形状等でも本考案と同様の機能を持たせることが可能である。
【００１６】  図３はペンダント１００の使用例［１］を示す図である。第１ボディ１１０と第２ボディ１２０によって中空空間が生じる。この空間１５０に装飾体１４０を収納させることが出来る。
【００１７】  図３において挿通部１１１と挿通部１２１は明示されていないが、後述するＡラインとＢラインが合わさったところに線状体１３０を挿通させることが可能である。
言い換えれば、第１ボディ１１０と第２ボディ１２０が係合された際に、各々の挿通部１１１を結ぶＡラインと各々の挿通部１１２を結ぶＢラインが合わさり、略直線状に貫通出来る状態になる。
線状体１３０には、チェーン、組みひも、ワイヤー等、幅広い物品を用いることが出来る。
【００１８】  図４は第１ボディ１１０の正面図であり、図５は第１ボディ１１０の平面図である。
第１ボディ１１０は、縁枠１１３と中間枠１１４を骨組みとして構成されており、縁枠１１３と連結された位置に挿通部１１１が形成されている。この挿通部１１１は線状体１３０が挿通出来る大きさを有している。
【００１９】  図４で示す上方に、突出した形状の操作部１１６が形成されている。この操作部１１６は後述する操作部１２６とほぼ同形であり、使用者の指先を掛けて第１ボディ１１０と第２ボディ１２０が離間する方向へ付勢することで、第１ボディ１１０と第２ボディ１２０の係合を解除することが出来る。
【００２０】  １１６の少し下方に突出部１１２が形成されている。この突出部１１２は後述する被係合溝１２２と係合することが出来る大きさを有している。
【００２１】  図４で示す下方に、掛合部１１５が形成されている。この掛合部１１５は後述する掛合部１２５と合わさり、第１ボディ１１０と第２ボディ１２０を掛合させる。
【００２２】  図５で示すラインＡは、一方の挿通部１１１と他方の挿通部１１１を通り抜ける略直線であり、掛合部１１５と掛合部１２５の中央軸とほぼ平行の位相にある。
【００２３】  図６は第２ボディ１２０の正面図であり、図７は第２ボディ１２０の平面図である。
第２ボディ１２０は、縁枠１２３と中間枠１２４を骨組みとして構成されており、第２ボディ１２０の内側に挿通部１２１が形成されている。ペンダント１００において、挿通部１２１は、挿通部１１１よりも相対的に内側に具設されている。この挿通部１２１は線状体１３０が挿通出来る大きさを有している。
【００２４】  図６で示す上方に、突出した形状の操作部１２６が形成されている。
この操作部１２６と前述した操作部１１６を離間させることで、第１ボディ１１０と第２ボディ１２０の係合を解除させることが容易に出来るようになる。
【００２５】  図７で示すラインＢは、一方の挿通部１１１と他方の挿通部１１１を通り抜ける直線であり、掛合部１１５と掛合部１２５の中央軸とほぼ平行の位相にある。
【００２６】  図３・図９・図１０において、ＡラインとＢラインが重なり、各々の挿通部１１１と各々の挿通部１２１が、略直線状に突き抜けることを示している。言い換えれば、第１ボディ１１０と第２ボディ１２０が串刺し状に貫通された状態になっている。
但し、線状体１３０が直線状に突き抜ける場合も曲線状に突き抜ける場合もある。
【００２７】  図８はペンダント変形例１００Ａの正面図（オープン時）である。
図示しているように、第１ボディ１１０の挿通部１１１の近傍に被係合溝１１７が形成されており、第２ボディ１２０の挿通部１２１の近傍に突出部１２７が形成されている。
【００２８】  被係合溝１１７と突出部１２７は係合可能な位置関係にあり、突出部１１２と被係合溝１２２と同様に係合状態を保持する機能を有している。
【００２９】  図９はペンダント１００の使用例［２］を示す図である。図示しているように、棒状体１６０が線状体１３０に接続して設けられており、棒状体１６０の両端に接続部１６１が形成されている。
【００３０】  第１ボディ１１０と第２ボディ１２０の係合が不意に外れた場合でも、棒状体１６０が挿通部１１１と挿通部１２１に挿通されている為、第１ボディ１１０の先端部と第２ボディ１２０の先端部が離間しにくくなる。
それ故、棒状体１６０によって、第１ボディ１１０と第２ボディ１２０の係合状態の安定性を高めることが可能である。
【００３１】  図示した例では、棒状体１６０は直線的に延びているが、湾曲した部分を有する棒状体１６０であっても同様の機能を有することが可能である。言い換えれば、棒状体１６０が、曲線状にカーブしていても良い。また、棒状の一部の太さに差があっても良い。
【００３２】  図１０はペンダント１００の使用例［３］を示す図である。図示しているように、環状体１７０が線状体１３０に挿通されている。この環状体１７０は、空間１５０の内部に具設されている。環状体１７０には大小のパーツがあり、中央に具設された環状体１７０が最も大きな形状である。
【００３３】  空間１５０に収納された装飾体１４０と環状体１７０が接触する場合には、装飾体１４０が上下に動く幅が小さくなり、装飾体１４０をペンダント１００の内部に安定的に収納させることが出来る。
【００３４】＜用語の定義＞
本考案における掛合とは、ピン等を用いた軸支、または凹凸の合わさりによる枢支などにより、第１ボディ１１０と第２ボディ１２０が連結された状態になることを意味する。
【００３５】＜素材＞
第１ボディ１１０、第２ボディ１２０、線状体１３０、棒状体１６０、環状体１７０の素材は、合成金属、ステンレス、金、銀、胴、アルミ、真鍮、チタン等の各種金属や、セラミック、合成樹脂、プラスチック、合成ゴムなどを利用することが可能である。
【図面の簡単な説明】
【００３６】
【図１】ペンダント１００の正面図（オープン時）である。
【図２】ペンダント１００の正面図（クローズ時）である。
【図３】ペンダント１００の使用例［１］を示す図である。
【図４】第１ボディ１１０の正面図である。
【図５】第１ボディ１１０の平面図である。
【図６】第２ボディ１２０の正面図である。
【図７】第２ボディ１２０の平面図である。
【図８】ペンダント変形例１００Ａの正面図（オープン時）である。
【図９】ペンダント１００の使用例［２］を示す図である。
【図１０】ペンダント１００の使用例［３］を示す図である。
【符号の説明】
【００３７】１００…ペンダント、  １１０…第１ボディ、  １１１…挿通部、  １１２…突起部、  １１３…縁枠、  １１４…中間枠、  １１５…掛合部、  １１６…操作部、  １１７…被係合溝、  １２０…第２ボディ、  １２１…挿通部、  １２２…被係合溝、  １２３…縁枠、  １２４…中間枠、  １２５…掛合部、  １２６…操作部、  １２７…突起部、  １３０…線状体、  １４０…装飾体、  １５０…空間、  １６０…棒状体、  １６１…接続部、  １７０…環状体
【図１】
0003215337.tif 000003
【図２】
0003215337.tif 000004
【図３】
0003215337.tif 000005
【図４】
0003215337.tif 000006
【図５】
0003215337.tif 000007
【図６】
0003215337.tif 000008
【図７】
0003215337.tif 000009
【図８】
0003215337.tif 000010
【図９】
0003215337.tif 000011
【図１０】
0003215337.tif 000012
【手続補正書】
【提出日】平成30年1月19日(2018.1.19)
【手続補正１】
【補正対象書類名】実用新案登録請求の範囲
【補正対象項目名】請求項３
【補正方法】変更
【補正の内容】
【請求項３】
前記第１ボディ１１０と前記第２ボディ１２０が係合された際に、
各々の前記挿通部１１１と各々の前記挿通部１２１が、
略直線状に貫通出来る位相になることを特徴とする請求項１または２に記載のペンダント。
【手続補正２】
【補正対象書類名】明細書
【補正対象項目名】０００９
【補正方法】変更
【補正の内容】
【０００９】
前記第１ボディ１１０と前記第２ボディ１２０が係合された際に、
各々の前記挿通部１１１と各々の前記挿通部１２１が、
略直線状に貫通出来る位相になることが好ましい。
【手続補正３】
【補正対象書類名】明細書
【補正対象項目名】００１７
【補正方法】変更
【補正の内容】
【００１７】
図３において挿通部１１１と挿通部１２１は明示されていないが、
後述するＡラインとＢラインが合わさったところに線状体１３０を挿通させることが可能である。
言い換えれば、第１ボディ１１０と第２ボディ１２０が係合された際に、
各々の挿通部１１１を結ぶＡラインと各々の挿通部１２１を結ぶＢラインが合わさり、
略直線状に貫通出来る状態になる。
線状体１３０には、チェーン、組みひも、ワイヤー等、幅広い物品を用いることが出来る。